【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
デジタル放送受信兼用移動通信端末であって、
前記移動通信端末に伝送される文字メッセージを受信し、その受信された文字メッセージを所定形式を有する少なくとも１つのデータパケットに変換して出力する電話モジュール（１１０）と、
デジタル放送データを受信すると共に、前記電話モジュールから前記少なくとも１つのデータパケットを受信し、前記デジタル放送データを出力中の画面の少なくとも一部に前記文字メッセージを出力する放送モジュール（１２０）と
を含むことを特徴とするデジタル放送受信兼用移動通信端末。
【請求項２】
前記電話モジュールは、
文字メッセージを貯蔵する第１の貯蔵部（１１６）と、
前記貯蔵された文字メッセージを前記少なくとも１つのデータパケットに変換して前記放送モジュールに出力し、前記文字メッセージの受信を前記放送モジュールで知らせる電話制御部（１１１）と
を含むことを特徴とする請求項１記載のデジタル放送受信兼用移動通信端末。
【請求項３】
前記少なくとも１つのデータパケットは、
文字メッセージを貯蔵するペイロードデータ貯蔵領域（２６０）と、
前記文字メッセージの開始を知らせる開始コードを貯蔵する開始コード貯蔵領域（２１０）と、
前記文字メッセージの発信者情報を貯蔵する発信者情報貯蔵領域（２２０）と、
前記文字メッセージの伝達のためのペイロードデータの開始と終了を表すフラグを貯蔵するフラグ貯蔵領域（２３０）と、
前記文字メッセージの伝達のための前記ペイロードデータの一連の順序情報を貯蔵する順序情報貯蔵領域（２４０）と、
前記ペイロードデータ貯蔵領域のうち、有効な部分の長さに関する情報を貯蔵する有効長さ貯蔵領域（２５０）と
を含むことを特徴とする請求項１記載のデジタル放送受信兼用移動通信端末。
【請求項４】
前記放送モジュールは、
前記電話モジュールから伝送された前記データパケットを貯蔵する第２の貯蔵部（１２５）と、
予め設定された出力オプションに基づいて前記第２の貯蔵部に貯蔵された前記データパケットを処理し、デジタル放送データ出力中の画面を利用して前記文字メッセージを出力するように制御する放送制御部（１２１）と、
前記放送制御部の制御により前記デジタル放送データの出力中である画面の少なくとも一部に前記文字メッセージを出力する表示部と
を含むことを特徴とする請求項１記載のデジタル放送受信兼用移動通信端末。
【請求項５】
前記放送制御部は、前記文字メッセージ表示ウィンドウが前記デジタル放送データ出力中の画面の一部にオン-スクリーン-ディスプレー(Ｏｎ Ｓｃｒｅｅｎ  Ｄｉｓｐｌａｙ)方式でポップアップされるように制御するように構成されることを特徴とする請求項４記載のデジタル放送受信兼用移動通信端末。
【請求項６】
前記放送制御部は、前記文字メッセージ表示ウィンドウが前記デジタル放送データ出力中の画面の一部に表示され、前記文字メッセージが前記文字メッセージ表示ウィンドウでスライドするように制御するように構成されることを特徴とする請求項４記載のデジタル放送受信兼用移動通信端末。
【請求項７】
前記放送制御部は、前記文字メッセージを表示する前に、予め設定された情報に基づいて文字受信通知動作を遂行するように制御するように構成されることを特徴とする請求項４記載のデジタル放送受信兼用移動通信端末。
【請求項８】
前記放送制御部は、前記文字受信通知メッセージを前記画面の一部にオン-スクリーン-ディスプレー方式で表示されるように制御するように構成されることを特徴とする請求項７記載のデジタル放送受信兼用移動通信端末。
【請求項９】
前記放送制御部は、前記文字受信を知らせるための特定の指標を前記画面の一部に表示するように構成されることを特徴とする請求項７記載のデジタル放送受信兼用移動通信端末。
【請求項１０】
電話モジュール（１１０）と放送モジュール（１２０）を含むデジタル放送受信兼用移動通信端末の文字メッセージ処理方法であって、前記方法が、
文字メッセージを受信する段階と、
前記電話モジュールが前記受信された文字メッセージを所定形式を有する少なくとも１つのデータパケットに変換する段階と、
前記少なくとも１つのデータパケットを前記放送モジュールに伝達する段階と、
前記放送モジュールが前記少なくとも１つのデータパケットから前記文字メッセージを分析し、デジタル放送データの出力中の画面の少なくとも一部に前記文字メッセージを出力する段階と、
を含むことを特徴とする方法。
【請求項１１】
前記変換段階は、
前記文字メッセージを貯蔵するためのペイロードデータ貯蔵領域（２６０）と、
前記文字メッセージの開始を知らせる開始コードを貯蔵する開始コード貯蔵領域（２１０）と、
前記文字メッセージの発信者情報を貯蔵する発信者情報貯蔵領域（２２０）と、
前記文字メッセージを伝達するためのペイロードデータの開始と終了を表すフラグを貯蔵するフラグ貯蔵領域（２３０）と、
前記文字メッセージの伝達のための前記ペイロードデータに対する一連の順序情報を貯蔵する順序情報貯蔵領域（２４０）と、
前記ペイロードデータ貯蔵領域のうち、有効な部分の長さに関する情報を貯蔵する有効長さ貯蔵領域（２５０）と
を含むフォーマットに前記文字メッセージのフォーマットを変換することを特徴とする請求項１０記載の方法。
【請求項１２】
前記出力段階は、前記文字メッセージを前記デジタル放送データ出力中の画面の一部にオン-スクリーン-ディスプレー方式でポップアップさせることを特徴とする請求項１０または請求項１１記載の方法。
【請求項１３】
前記出力段階は、前記文字メッセージを前記デジタル放送データ出力中である画面の一部に所定の形式でスライドさせることを特徴とする請求項１０または請求項１１記載の方法。
【請求項１４】
前記出力段階は、前記文字メッセージをディスプレーする前に、予め設定された情報に基づいて文字受信通知機能を遂行する段階を含むこと
を特徴とする請求項１０または請求項１１記載の方法。
【請求項１５】
前記文字受信通知機能の遂行段階は、前記文字受信通知メッセージを前記デジタル放送データ出力中の画面の一部にオン-スクリーン-ディスプレー方式で表示することを特徴とする請求項１４記載の方法。
【請求項１６】
前記文字受信通知機能遂行段階は、前記文字受信を知らせるための特定マークを前記デジタル放送データ出力中である画面の一部に表示することを特徴とする請求項１４記載の方法。
【請求項１７】
デジタル放送受信兼用移動通信端末であって、
前記移動通信端末に伝送される文字メッセージを受信し、その受信された文字メッセージを、文字メッセージを貯蔵するペイロードデータ貯蔵領域（２６０）及び前記文字メッセージの発信者情報を貯蔵する発信者情報貯蔵領域（２２０）を備えると共に所定形式を有する少なくとも１つのデータパケットに変換して出力する電話モジュール（１１０）と、
デジタル放送データを受信すると共に、前記電話モジュールから前記少なくとも１つのデータパケットを受信し、前記デジタル放送データを出力中の画面の少なくとも一部に前記文字メッセージを出力する放送モジュール（１２０）と
を含むことを特徴とするデジタル放送受信兼用移動通信端末。
【請求項１８】
前記少なくとも１つのデータパケットは、
前記文字メッセージの開始を知らせる開始コードを貯蔵する開始コード貯蔵領域（２１０）と、
前記文字メッセージの伝達のためのペイロードデータの開始と終了を表すフラグを貯蔵するフラグ貯蔵領域（２３０）と、
前記文字メッセージの伝達のための前記ペイロードデータの一連の順序情報を貯蔵する順序情報貯蔵領域（２４０）と、
前記ペイロードデータ貯蔵領域のうち、有効な部分の長さに関する情報を貯蔵する有効長さ貯蔵領域（２５０）と
を含むことを特徴とする請求項１７記載のデジタル放送受信兼用移動通信端末。
【請求項１９】
前記放送モジュール（１２０）は、
前記文字メッセージを表示する前に、前記文字メッセージを受信したことを表示すると共に、利用者に対して彼／彼女が前記文字メッセージを見たいか否かを質問するメッセージを出力するように構成される
ことを特徴とする請求項１７記載のデジタル放送受信兼用移動通信端末。
【請求項２０】
前記メッセージの表示は、発信者情報を含む
ことを特徴とする請求項１９記載のデジタル放送受信兼用移動通信端末。
【請求項２１】
デジタル放送受信兼用移動通信端末であって、
前記移動通信端末に伝送される文字メッセージを受信し、その受信された文字メッセージを所定形式を有する少なくとも１つのデータパケットに変換して出力する電話モジュール（１１０）と、
デジタル放送データを受信すると共に、前記電話モジュールから前記少なくとも１つのデータパケットを受信し、前記文字メッセージを表示する前に、前記文字メッセージを受信したことを表示すると共に、利用者に対して彼／彼女が前記文字メッセージを見たいか否かを質問するメッセージを出力し、前記利用者が前記文字メッセージを見ることを選択する場合には、前記デジタル放送データを出力中の画面の少なくとも一部に前記文字メッセージを出力する放送モジュール（１２０）と
を含むことを特徴とするデジタル放送受信兼用移動通信端末。
【請求項２２】
前記少なくとも１つのデータパケットは、
文字メッセージを貯蔵するペイロードデータ貯蔵領域（２６０）と、
前記文字メッセージの開始を知らせる開始コードを貯蔵する開始コード貯蔵領域（２１０）と、
前記文字メッセージの発信者情報を貯蔵する発信者情報貯蔵領域（２２０）と、
前記文字メッセージの伝達のためのペイロードデータの開始と終了を表すフラグを貯蔵するフラグ貯蔵領域（２３０）と、
前記文字メッセージの伝達のための前記ペイロードデータの一連の順序情報を貯蔵する順序情報貯蔵領域（２４０）と、
前記ペイロードデータ貯蔵領域のうち、有効な部分の長さに関する情報を貯蔵する有効長さ貯蔵領域（２５０）と
を含むことを特徴とする請求項２１記載のデジタル放送受信兼用移動通信端末。
【請求項２３】
前記メッセージの表示は、発信者情報を含む
ことを特徴とする請求項２１記載のデジタル放送受信兼用移動通信端末。
【請求項２４】
デジタル放送受信兼用移動通信端末の文字メッセージ処理方法であって、前記方法が、
文字メッセージを受信する段階と、
前記文字メッセージを表示する前に、前記文字メッセージを受信したことを表示すると共に、利用者に対して彼／彼女が前記文字メッセージを見たいか否かを質問するメッセージを出力する段階と、
前記利用者が前記文字メッセージを見ることを選択する場合には、前記デジタル放送データを出力中の画面の少なくとも一部に前記文字メッセージを出力する段階と
を含むことを特徴とする方法。
【請求項２５】
前記メッセージの表示は、発信者情報を含む
ことを特徴とする請求項２４記載の方法。
【請求項２６】
デジタル放送受信兼用移動通信端末の文字メッセージ処理方法であって、前記方法が、
文字メッセージを受信する段階と、
前記文字メッセージが受信されたときに表示するメッセージの表示を出力するための文字受信通知機能が設定されたか否かを判定する段階と、
前記文字メッセージを表示する前に、前記文字メッセージを受信したことを表示すると共に、利用者に対して彼／彼女が前記文字メッセージを見たいか否かを質問するメッセージを出力する段階と、
前記利用者が前記文字メッセージを見ることを選択する場合には、前記デジタル放送データを出力中の画面の少なくとも一部に前記文字メッセージを出力する段階と
を含むことを特徴とする方法。
【請求項２７】
前記メッセージの表示は、発信者情報を含む
ことを特徴とする請求項２６記載の方法。